(57)【特許請求の範囲】
【請求項１】
長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を掘削地盤内に低い側壁側の鍔部を山側にし、高い側壁側の鍔部を谷側にして配設固定してなることを特徴とする排水路。
【請求項２】
底部又は／及び両側壁の背面側に付着力増加手段を形成してなることを特徴する請求項１記載の排水路。
【請求項３】
鍔部のいずれか一方又は両方の外方側端部を下方へ折り曲げてなることを特徴とする請求項１又は２記載の排水路。
【請求項４】
両側壁間の底部側の幅を開口部側の幅よりやや狭く形成したことを特徴とする請求項１乃至３のいずれか記載の排水路。
【請求項５】
長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を設置済の既存の排水路の内側に、低い側壁側の鍔部を山側にし、高い側壁側の鍔部を谷側にして配設固定してなることを特徴とする排水路。
【請求項６】
掘削地盤内の底部又は設置済の既存の排水路の底部にモルタルを流し込んでモルタル層を形成し、該モルタルの流動状態下で、その上方から長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を設置済の既存の排水路の内側に、低い側壁側の鍔部を山側にし、高い側壁側の鍔部を谷側にし、該排水路形成用薄板部材を底部へ押し込み、該モルタルを該排水路形成用薄板部材の両側壁裏面側及び鍔部裏面側に流動させ、該鍔部に設けた充填材用貫通孔よりモルタルが排出することにより隙間が充填されたことを確認してなることを特徴とする排水路の施工方法。
【請求項７】
設置済の既存の排水路に、長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を設置済の既存の排水路の内側に、低い側壁側の鍔部を山側にし、高い側壁側の鍔部を谷側にし、該排水路形成用薄板部材を挿入し、該排水路形成用薄板部材の底部、両側壁及び両鍔部の各々の裏面と該既存の排水路の底部、両側壁及び両天端部とに生じている隙間に、該鍔部に設けた充填材用貫通孔のいずれかから充填材を充填し、他の充填材用貫通孔から充填材が排出することにより隙間が充填されたことを確認して充填を停止してなることを特徴とする排水路の施工方法。
【発明の詳細な説明】
【技術分野】
【０００１】
本発明は、高所や傾斜地等での排水路の構築又は古くなった排水路を撤去することなく新設同様の排水路に改修構築することができると同時に、新設又は改修のいずれの排水路にあっても排水容量を増加させることを可能とした排水路形成用薄板部材による排水路及びその排水路の施工方法に関する。
【背景技術】
【０００２】
排水路の新設又は古くなった排水路を撤去して当該箇所に新設の排水路を設置するに際し、従来同様のコンクリート製排水路を高所や傾斜地等で設置するとなると大型のクレーン等の重機器類の投入や多くの作業員を必要としていた。
【０００３】
また、近年の気候変動に伴い集中豪雨が多発し、従来では想定されなかった量の雨水が短時間に集中的に排水路に流入し、排水容量を超えて雨水の溢れ出し現象が生じている。この雨水のオーバーフローを防止するためには、従来のものより排水容量の大きな断面を有する排水路を設置したり、従来の排水路に換えて大容量のものに設置し直す必要が生じている。
【０００４】
上記に対応するためには大型のコンクリート製排水路の新設又は既設のコンクリート製排水路を撤去して排水容量の大きな断面のコンクリート製排水路へと設置し直すことになるが、いずれの場合も、従来のものより更に重量の有る大きな排水路の設置作業が必要となり、多くの作業員と時間と大型のクレーン等の重機器類を使用する必要があった。
【０００５】
特に、排水路を高所や法面等の傾斜地に設ける場合には、その設置にはより多くの作業員や時間及び大きな重機器類の投入が必要となり、更に、多くの危険を伴い、困難な作業を強いられるものであった。
【０００６】
また、既設の排水路を排水容量の大きな排水路へと交換するためには、当該既設の排水路の撤去後に、設置場所の拡幅作業を行い、新設の重量の有る大きなコンクリート製排水路へと設置し直す作業を行わなければならなかった。
【０００７】
他方、下記する特許文献１は、既設の側溝を除去することなく該側溝内に側溝嵩上げ材を入れ込むことで新設の側溝を形成するものであるが、該側溝嵩上げ材の周囲の原地盤面上に客土して嵩上げ地盤面を形成する必要があった。更に、排水路設置のための施工作業の簡便化を図ったものではなく、また、排水容量を増加することを可能とした排水路でもなく、本発明の課題を解決できるものではなかった。
【先行技術文献】
【特許文献】
【０００８】
【特許文献１】特開２００６−２００３０９号公報
【発明の概要】
【発明が解決しようとする課題】
【０００９】
本発明は、上記欠点を解決したもので、新設のための排水路への対応はもとより、既設の排水路を取り除くことなく従来のものより排水容量を増加させることを可能とした排水路を形成すると同時に、コンクリート製排水路に換えて軽量の薄板となる金属製材料或いは繊維強化合成樹脂材料等により排水路を形成することで作業員数や時間の省力化を達成し、且つ、危険な作業をなくし、大型の重機器類を投入使用する必要のない排水路形成用薄板部材を使用することで新設又は既設の排水路を改修構築できる排水路の提供及びその排水路の施工方法を提供するものである。
【課題を解決するための手段】
【００１０】
本発明は、長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を掘削地盤内に低い側壁側の鍔部を山側にし、高い側壁側の鍔部を谷側にして配設固定してなる排水路を特徴とする。
【００１１】
また、底部又は／及び両側壁の背面側に付着力増加手段を形成してなる排水路を特徴とする。
【００１２】
更に、鍔部のいずれか一方又は両方の外方側端部を下方へ折り曲げてなる排水路を特徴とする。
【００１３】
また、両側壁間の底部側の幅を開口部側の幅よりやや狭く形成した排水路を特徴とする。
【００１４】
更に、長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を設置済の既存の排水路の内側に、低い側壁側の鍔部を山側にし、高い側壁側の鍔部を谷側にして配設固定してなる排水路を特徴とする。
【００１５】
また、掘削地盤内の底部又は設置済の既存の排水路の底部にモルタルを流し込んでモルタル層を形成し、該モルタルの流動状態下で、その上方から長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を設置済の既存の排水路の内側に、低い側壁側の鍔部を山側にし、高い側壁側の鍔部を谷側にし、該排水路形成用薄板部材を底部へ押し込み、該モルタルを該排水路形成用薄板部材の両側壁裏面側及び鍔部裏面側に流動させ、該鍔部に設けた充填材用貫通孔よりモルタルが排出することにより隙間が充填されたことを確認してなる排水路の施工方法を特徴とする。
【００１６】
更に、設置済の既存の排水路に、長手方向に延出した底部及び該底部より立ち上がった両側壁よりなり上方部を開口部とした断面略Ｕ字形状の排水路形成用薄板部材において、谷側に位置する側壁の底部からの高さを山側に位置する側壁より高く形成し、両側壁上端部を水平又はそれに近い状態で外方へ突出させて鍔部とし、該鍔部のいずれか一方又は両方の平面部に間隔を有して複数の充填材用貫通孔を設けた排水路形成用薄板部材とし、該排水路形成用薄板部材を設置済の既存の排水路の内側に、低い側壁側の鍔部を山側にし、高い側壁側の鍔部を谷側にし、該排水路形成用薄板部材を挿入し、該排水路形成用薄板部材の底部、両側壁及び両鍔部の各々の裏面と該既存の排水路の底部、両側壁及び両天端部とに生じている隙間に、該鍔部に設けた充填材用貫通孔のいずれかから充填材を充填し、他の充填材用貫通孔から充填材が排出することにより隙間が充填されたことを確認して充填を停止してなる排水路の施工方法を特徴とする。
【発明の効果】
【００１７】
本発明の排水路形成用薄板部材による排水路及びその施工方法は、軽量部材を採用することにより高所や傾斜地等の作業が困難な施工場所でも少ない作業員数での短時間作業で安全に排水路を構築することが可能となった。
【００１８】
また、古くなった既設の排水路を撤去することなく、本発明の排水路形成用薄板部材をその内側に挿入することで新設同様の排水路を構築することが可能となった。
【００１９】
更に、従来のものと比較して設置場所を拡幅する掘削作業や大規模な盛土等をすることなく排水容量を増加させることのできる排水路を構築することが可能となった。
【００２０】
また、傾斜地を利用することで排水容量を大幅に増加させることのできる排水路を構築することが可能となった。
【図面の簡単な説明】
【００２１】
【図１】（ａ）排水路形成用薄板部材を示す断面図、（ｂ）同斜視図。
【図２】排水路形成用薄板部材を地盤に設置する施工方法を示す断面図。
【図３】（ａ）、（ｂ）排水路形成用薄板部材を地盤に設置する他の施工方法を示す断面図。
【図４】排水路形成用薄板部材を使用することにより排水容量の増加を示す断面図。
【図５】排水路形成用薄板部材の他の実施例の断面図。
【図６】他の実施例の排水路形成用薄板部材を地盤に設置した状態を示す断面図。
【図７】他の実施例の排水路形成用薄板部材を地盤に設置した状態における排水容量の増加を示す断面図。
【図８】（ａ）乃至（ｄ）排水路形成用薄板部材の鍔部の形状及び地盤への固定状態を示す断面図。
【図９】（ａ）、（ｂ）排水路形成用薄板部材の長手方向における連結部の一実施例を示す平断面図。
【図１０】（ａ）排水路形成用薄板部材の底部側と開口部側の幅寸法の相違を示す断面図、（ｂ）排水路形成用薄板部材を重ね合わせた状態を示す断面図。
【図１１】排水路形成用薄板部材を、既設のコンクリート製排水路の補修後の内側へ嵌合して設置した状態を示す断面図。
【図１２】（ａ）他の実施例の排水路形成用薄板部材を地盤に設置した状態を示す断面図、（ｂ）排水容量の増加を示す断面図。
【発明を実施するための形態】
【００２２】
以下、本発明の実施の形態を図面に基づいて説明する。
【実施例１】
【００２３】
図１（ａ）、（ｂ）は、薄板体を折り曲げ又は溶接等により連結することで一体化形成した板状体の成形体（以下、排水路形成用薄板部材という）の断面形状及び斜視図を示すものである。ステンレス製やその合金又は他の金属製材料或いはガラス繊維、炭素繊維等で補強された繊維強化合成樹脂材料等の防水性の良好な或いは防水処理した薄板を成形して断面略Ｕ字形状とし、その両側壁上端より鍔部を設けた排水路形成用薄板部材１である。例えば、ステンレス製にあっては約１．２ｍｍ厚のものが最適である。
【００２４】
該排水路形成用薄板部材１は、底部２、右側壁３、左側壁４、該右側壁３の右側上端部５より外方へ延出した一方側鍔部６及び該左側壁４の左側上端部７より外方へ延出した他方側鍔部８とより構成している。
【００２５】
該排水路形成用薄板部材１は、底部２と右・左の側壁３、４によって断面略Ｕ字形状とし、内側となる表面側を防水性で摩擦の少ない平滑面に形成し、長手方向に連続形成することで流動性の良好な水路を形成することが可能となる。
【００２６】
他方、該排水路形成用薄板部材１の外側となる該底部２及び該右側壁３、左側壁４の裏面側には、リブや凹凸部、或いは目荒し加工、腐食加工、塗材の吹き付け等の付着力増加手段９を設け、排水路形成用薄板部材１を設置するための掘削部となる地盤、補強地盤或いは先行して打設したモルタルやコンクリート等との付着力を高めることのできる手段としている。
【００２７】
該右側壁３の右側上端部５及び該左側壁４の左側上端部７から水平方向に一方側鍔部６及び他方側鍔部８を形成し、排水路形成用薄板部材１を設置するための掘削部の周縁となる地盤や補強地盤或いはコンクリート構造体等の補強体の上或いは上方に該一方側鍔部６及び他方側鍔部８が位置できるように形成している。
【実施例２】
【００２８】
上記構成よりなる該排水路形成用薄板部材１を、図２に示すように、地盤の掘削部Ａに設置する場合、排水路を構築する場所を掘削し、その掘削部Ａを早強コンクリートやシールコンクリートを吹き付けたり、超速硬化ポリウレタン樹脂等の合成樹脂材を吹き付けたりすることで補強し或いはコンクリート等を打設して補強して該排水路形成用薄板部材１が設置できる形状を保持し、且つ、防水処理等の下地処理を施し、必要に応じて接着性の良好な状態となるように表面処理し、その内側に、排水路形成用薄板部材１を嵌入設置することになる。
【００２９】
また、掘削部Ａの周縁となる表面側の地盤も、上記同様、必要に応じて早強コンクリートやシールコンクリートを吹き付けたり、超速硬化ポリウレタン樹脂等の合成樹脂材を吹き付けることで補強し、或いはコンクリート等を打設して補強地盤面として排水路周辺部の強度を高めることができる。設置後は排水路形成用薄板部材１と地盤との取り合い箇所をシール材等により防水処理を施すことになる。
【００３０】
上記一方側鍔部６及び他方側鍔部８の両方或いはいずれか一方の平面部に充填材Ｂを充填するための充填材用貫通孔１０が設けられている。該充填材用貫通孔１０を複数箇所に設けておくことにより、排水路形成用薄板部材１を掘削部Ａに設置後、該排水路形成用薄板部材１の裏面側と掘削部Ａとの間に生じている隙間Ｃに向けて該充填材用貫通孔１０より注入管Ｄを挿入し、モルタルや樹脂材等の充填材Ｂを圧力をかけながら注入することで隙間Ｃが充填され、両者を一体化することができる。
【００３１】
隙間Ｃが充填されたことは、他の位置に形成された充填材用貫通孔１０からの充填材Ｂの排出を目視することで確認することができる。排水路形成用薄板部材１の端部側となる未連結側の開放されている底部２や右・左側壁３、４と掘削部Ａとの間に生じている隙間Ｃは、当て材等により閉塞することで、該端部側からの充填材の流出を防ぐことができる。
【００３２】
また、該鍔部６、８に、掘削部Ａの周縁となる地盤、補強地盤或いは補強体等と固定するためのアンカーＥを挿入するための打ち込み孔１１を設けておき、上記充填材Ｂの充填と該打ち込み孔１１からのアンカーＥとにより排水路形成用薄板部材１の浮き上がり防止のための強固な固定手段としている。上記充填材用貫通孔１０の使用後は、未使用の充填材用貫通孔１０を含め閉塞し、シール材等により防水処理することになる。アンカーＥのための打ち込み孔１１も同様とする。
【実施例３】
【００３３】
図３（ａ）、（ｂ）は、上記構成よりなる排水路形成用薄板部材１を掘削部Ａに固定する他の実施例を示すものである。図３（ａ）に示すように、掘削部Ａの底部にモルタル等の流動性固定材Ｆを流し込んで下層を形成し、該下層がワーカビリティーの良好な流動状態を維持している時点で該排水路形成用薄板部材１を掘削部Ａに嵌入して押し込み、その押し込み圧により、図３（ｂ）に示すように、該流動性固定材Ｆが該排水路形成用薄板部材１の底部２の裏面側から両側壁３、４の裏面側及び両鍔部６、８の裏面側へと流動し、該流動性固定材Ｆの充填材用貫通孔１０からの排出を目視することで隙間Ｃが充填されたことを確認することができる。充填後は地盤等との取り合い箇所や充填材用貫通孔１０、打ち込み孔１１等をシール材等により防水処理を施すことになる。
【００３４】
上記掘削部Ａへの排水路形成用薄板部材１の設置により、図４の斜線で示すように、掘削部Ａの掘削幅及び掘削深さが同一であれば、排水路形成用薄板部材１は、従来のコンクリート製の断面Ｕ字形排水路の側壁部及び底部の部材厚に比較して薄板体で形成しているので、その厚さ分だけ多くの排水容量を確保することが可能となる。
【実施例４】
【００３５】
図５は、排水路形成用薄板部材１の他の実施例で、左側壁４の底部２から左側上端部７までの高さを、右側壁３の右側上端部５の底部２からの高さより高く形成し、その各々の右・左上端部５、７より一方側鍔部６及び他方側鍔部８を外方へ延出させ充填材用貫通孔１０を形成している。材質や機能面、部材厚等は実施例１のものと同様である。上記した掘削部Ａにおいて、雨水が多く流れ込む傾斜地に設置し、排水路の排水容量を大きくすることを目的とするものである。右側壁３を傾斜地の山側に位置させ、左側壁４を雨水をせき止めることが可能な谷側に位置させて掘削部Ａに嵌入設置し固定している。
【実施例５】
【００３６】
該排水路形成用薄板部材１を山側を法面等とした傾斜地に設置する場合、図６に示すように、該一方側鍔部６を傾斜地盤Ｇ側に位置させ、隙間Ｃへの充填材用貫通孔１０からの充填材Ｂの充填やアンカーボルトや表面処理した差し筋等のアンカー（以下、単にアンカーＥという）を掘削部Ａの周辺地盤や該傾斜地盤Ｇへの打ち込みにより強固に固定することができる。
【００３７】
該他方側鍔部８は、その周辺部を立ち上げ、樹脂やコンクリート等により補強した盤面とすることで排水路周辺の強度を高めながら嵩上げ地盤Ｈを形成し、その表面側を該他方側鍔部８で覆い、隙間Ｃへの充填材Ｂの充填や嵩上げ地盤及び強固な地盤へのアンカーＥの打ち込みにより強固に固定することができる。固定後は傾斜地盤Ｇや嵩上げ地盤Ｈ等との取り合い箇所や充填材用貫通孔１０、打ち込み孔１１等をシール材等により防水処理を施すことになる。
【００３８】
これにより、図７に示すように、右方となる山側からの雨水を谷側となる該左側壁４が堰面となり、通常の大きさの断面略Ｕ字形状の排水路で得る排水容量より斜線部で示した分の排水容量の増加を図ることが可能となる。また、傾斜地盤Ｇの表面側を補強して補強傾斜面Ｊとすることにより、該傾斜地盤Ｇを排水路の一部とすることが可能となる。
【００３９】
例えば、右側壁３の底部２からの右側上端部５の位置までの内寸高を２４０ｍｍ、右・左側壁３、４間の内寸幅を２４０ｍｍとしたＵ字形状の断面積は５７，６００ｍｍ２となるが、左側壁４を底部２から左側上端部７の位置までの高さを１５０ｍｍ高くし、一方側鍔部６の水平部の長さを２００ｍｍ、傾斜地盤Ｇの傾斜角度を４５度とすると、斜線部で示す領域は３６，０００ｍｍ２＋３０，０００ｍｍ２＋１１，２５０ｍｍ２の合計７７，２５０ｍｍ２となり、大幅な断面積増加となり、２．３倍以上の排水容量を確保することが可能となる。底部２から左側上端部７の位置までの高さは、必要に応じて適宜選択することができる。
【実施例６】
【００４０】
図８に示すように、一方側鍔部６及び他方側鍔部８には周縁部の形状に合わせるように様々な形状のものが考えられる。図８（ａ）は、一方側鍔部６又は／及び他方側鍔部８をその先端部を下方側へ折り曲げた実施例を示している。図８（ｂ）は、一方側鍔部６をその先端部より斜め上方側へ折り曲げ延出させ、他方側鍔部８をその先端部より斜め下方側へ折り曲げ延出させたものである。
【００４１】
また、図８（ｃ）は、左側壁４の立ち上がった左側上端部７から水平方向となる外方へ延出した他方側鍔部８を、その先端部から傾斜部及び該傾斜部８ａの下端部より水平方向外方へ突出した延出部８ｂを形成した鍔部８で、該傾斜部８ａや延出部８ｂをアンカーＥによる地盤や嵩上げ地盤Ｈへの取り付け面としている。
【００４２】
更に、図８（ｄ）は、左側壁４の立ち上がった左側上端部７から水平方向となる外方へ延出した他方側鍔部８を、その先端部から傾斜部８ａ及び該傾斜部８ａの下端部より水平方向へ左側壁４側へ折り曲げた水平部８ｃを設けたもので、該傾斜部８ａ及び該水平部８ｃをアンカーＥによる地盤への取り付け面としている。
【００４３】
上記一方側鍔部６及び他方側鍔部８の形状、地盤への取り付け位置、地盤、傾斜地盤Ｇ、嵩上げ地盤Ｈ、コンクリート補強盤等の形成及び取り付け手段は、上記実施例のみに限定されたものではなく、状況に応じて適宜組み合わせて対応することができる。
【実施例７】
【００４４】
排水路形成用薄板部材１は、例えば、約１．２ｍｍの薄板となる金属製材料或いは薄板の繊維強化合成樹脂材料等で形成し、その長手方向の長さを６０ｃｍ〜１２０ｃｍとすることにより軽量化を図ることができ、施工現場への運び込みを容易とすることができる。それらを現場において相互に連結することで長手方向に連続した排水路を形成することができる。
【００４５】
図９は、該排水路形成用薄板部材１の相互を連結する手段の一例を示している。図９（ａ）は、底部２及び右・左側壁３、４の外側面に裏板１２を当てがって固定することにより連続一体化したものである。図９（ｂ）は、右・左側壁３、４のいずれかの一端側に段部１３を設け、該段部１３に別体の排水路形成用薄板部材１の端部を重ねて固定して連続一体化したものである。
【実施例８】
【００４６】
図１０（ａ）に示すように、排水路形成用薄板部材１は、その断面Ｕ字形状となる底部２側の右・左側壁３、４間の幅Ｗ１を右側上端部５及び左側上端部７側となる開口部側幅Ｗ２より狭く形成することにより、図１０（ｂ）のように該排水路形成用薄板部材１の何枚かを重ね合わせることが可能となり、運搬及び設置作業を省力化することが可能となる。
【実施例９】
【００４７】
排水路形成用薄板部材１を通常の地盤や傾斜地盤Ｇを掘削した掘削部Ａに設置することで新設の水路として使用することができるが、図１１に示すように、排水路形成用薄板部材１を既設のコンクリート製排水路２０の内側に嵌入設置して固定することができる。
【００４８】
既設のコンクリート製排水路２０が劣化し、補修ができない場合、或いは新設の排水路へ変更する場合等にあっては、該既設のコンクリート製排水路２０を撤去し、所望の新設の排水路に設置換えすることになる。
【００４９】
そのためには、先ず、既設のコンクリート製排水路２０を所定の大きさに破壊し、それをクレーン等で吊り上げ撤去することになるが、排水路を破壊する作業、その運搬作業及び破壊した材料の廃棄作業が必要になる。また、新設するためにはコンクリート製排水路の製造、その運搬作業、従来のものより排水容量の大きな排水路にあっては地盤の拡幅掘削作業、所定の位置に据え付けるための設置作業等の部材の製造から設置固定までに多くの作業が必要となる。
【００５０】
上記作業は、多くの作業員と重機器類を必要とし、時間と経費及び法面等の傾斜地にあっては危険を伴うものであった。そこで本実施例は、上記実施例で示した排水路形成用薄板部材１を既設のコンクリート製排水路２０の内側に密着状態で嵌入固定することにより新設と同様の排水路を得ることができるようにしたものである。
【００５１】
図１１に示すように、既設のコンクリート製排水路２０に沈下が生じている場合、所定の排水勾配を得るために既設の排水路の底部２１の内側表面に勾配調整用モルタル２２を塗着する。また、コンクリート製排水路２０の右・左側壁２３、２４に欠損２５や亀裂２６が生じている場合、モルタルや他の漏水防止手段により穴埋や充填作業を行い、補修する。
【００５２】
上記沈下によって生じた分の嵩上げ或いは上端部の補強のために必要に応じて既設のコンクリート製排水路２０の周辺部にコンクリートを打設或いはコンクリートや樹脂を吹き付けたり注入することにより右左の補強層２７、２８を形成する。
【００５３】
上記既設のコンクリート製排水路２０やその周辺部の地盤補修の後、底部２１や右・左側壁２３、２４及び周辺部に早強コンクリートやシールコンクリートを吹き付けたり、超速硬化ポリウレタン樹脂等の合成樹脂材を吹き付けたり注入したり、接合部にエポキシ樹脂処理やプライマー処理等を施して接合部処理や防水処理を行う。
【００５４】
上記既設の排水路２０やその周辺部の補修・補強、接合部処理、防水処理等の後、該排水路２０の内側に排水路形成用薄板部材１を嵌入する。
【００５５】
既設の排水路２０の内側に排水路形成用薄板部材１を嵌入した場合、開口部側の幅Ｗ２が底部２側の幅Ｗ１より拡開状態となるように形成しているので、既設のコンクリート製排水路２０に嵌入したときに右・左側壁３、４の上方側が右・左側壁２３、２４の表面側へ強く押されることになり、既設のコンクリート製排水路２０に強く密着することになる。また、断面Ｕ字形排水路内には雨水が溜まることになるので、その水圧は排水路形成用薄板部材１を拡げる方向に作用することになり、該排水路形成用薄板部材１は既設のコンクリート製排水路２０の内側に強く密着して抜け出すことはない。
【００５６】
嵌入した時点では、排水路形成用薄板部材１の一方側鍔部６及び他方側鍔部８と既設のコンクリート製排水路２０の右側上端部２９と左側上端部３０との間に隙間Ｋが生じるようにし、上記実施例と同様に、該鍔部６、８に設けた充填材用貫通孔１０より注入管Ｄを介して上記隙間Ｋ及び既設のコンクリート製排水路２０と排水路形成用薄板部材１との間の隙間Ｋにモルタルを充填する。
【００５７】
上記隙間Ｋへの充填は、実施例１の図２で示した方法又は実施例２の図３で示した方法と同様の方法或いはその組み合わせたもの等を採用することができる。
【００５８】
また、一方側鍔部６及び他方側鍔部８の表面側から充填層、補強層２７、２８や地盤、傾斜地盤Ｇに向けてアンカーＥを打ち込むことにより排水路形成用薄板部材１を既設の排水路２０を覆って強固に固定することが可能となる。地盤等との取り合い箇所、充填材用貫通孔１０、アンカーＥの打ち込み孔等についてはシール等の防水処理を施すことになる。
【実施例１０】
【００５９】
図１２（ａ）は、図５に示す左側壁４側を高く形成した排水路形成用薄板部材１を既設のコンクリート製排水路２０に嵌入した図を示している。左側壁４側の周縁部が高く形成されることになるが、該排水路形成用薄板部材１の設置方法やその後の処理等は上記実施例と同様である。
【００６０】
底部２１の内側表面への勾配調整用モルタル２２の塗着、右・左側壁２３、２４の欠損２５や亀裂２６の補修、周辺部の右左の補強層２７、２８の形成、接合部処理や防水処理の施工等、上記実施例と同様の処理を施した後、上記既設のコンクリート製排水路２０の内側に左側壁４の高い排水路形成用薄板部材１を嵌着固定する。図１２（ｂ）に示すように、山側となる一方側が傾斜した法面の場合、該法面の傾斜地盤Ｇを雨水の貯留手段として利用することができる。該法面の傾斜地盤Ｇに法面に沿った補強傾斜面Ｊを右側補強層２７に連続形成し、表面側に防水処理を施すことにより、排水路と同様の強化された排水面とすることができる。地盤等との取り合い箇所、充填材用貫通孔１０、アンカーＥの打ち込み孔等については防水処理を施すことになる。排水路形成用薄板部材１の部材厚は薄く、且つ、既設のコンクリート製排水路２０の底部２１や側壁２３、２４に密着固定されているので断面Ｕ字形排水路側の排水容量の減少は極めて少なく、斜線部で示す部分を大きな雨水の排水容量の増加領域とすることが可能となる。
【００６１】
上記では、補修が必要となった既設のコンクリート製排水路の補修後に、その大きさに沿って薄板の排水路形成用薄板部材１を内側に固定したものについて述べたが、新設したばかりの排水路であっても該排水路形成用薄板部材１を設置固定して排水容量を増加させることができる。
【符号の説明】
【００６２】
１      排水路形成用薄板部材
２      底部
３      右側壁
４      左側壁
５      右側上端部
６      一方側鍔部
７      左側上端部
８      他方側鍔部
９      付着力増加手段
１０    充填材用貫通孔
１１    打ち込み孔
１２    裏板
１３    段部
２０    既設のコンクリート製排水路
２１    既設の排水路の底部
２２    勾配調整用モルタル
２３    既設の排水路の右側壁
２４    既設の排水路の左側壁
２５    既設の排水路の欠損
２６    既設の排水路の亀裂
２７    既設の排水路の右側周縁部の補強層
２８    既設の排水路の左側周縁部の補強層
２９    既設の排水路の右側上端部
３０    既設の排水路の左側上端部
Ａ      掘削部
Ｂ      充填材
Ｃ      隙間
Ｄ      注入管
Ｅ      アンカー
Ｆ      流動性固定材
Ｇ      傾斜地盤
Ｈ      嵩上げ地盤
Ｊ      補強傾斜面
Ｋ      隙間
【要約】
【課題】本発明は、新設のため排水路への対応はもとより、既設の排水路を取り除くことなく従来のものより排水容量を増加させた排水路を形成することを可能とした排水路形成部材を及びその排水路形成部材による排水路を提供するものである。
【解決手段】長手方向に延出した底部及び該底部より立ち上がった両側壁よりなり上方部を開口部とした断面略Ｕ字形状とした排水路形成用薄板部材において、両側壁上端部を水平又はそれに近い状態で外方へ突出させて鍔部とし、該鍔部のいずれか一方又は両方の平面部に間隔を有して複数の充填材用貫通孔を設けたことを特徴とする排水路形成部材。
【選択図】図１１【図１】
0006004600.tif 000002
【図２】
0006004600.tif 000003
【図３】
0006004600.tif 000004
【図４】
0006004600.tif 000005
【図５】
0006004600.tif 000006
【図６】
0006004600.tif 000007
【図７】
0006004600.tif 000008
【図８】
0006004600.tif 000009
【図９】
0006004600.tif 000010
【図１０】
0006004600.tif 000011
【図１１】
0006004600.tif 000012
【図１２】
0006004600.tif 000013